(57)【要約】【課題】  ロータの組立工程を簡略化しロータケースの強度が低下しないようにする。【解決手段】  外周部に多数の駆動用コイル３を周方向所定間隔ごとに取り付け中央部に軸受ホルダ４を設けたステータ５及びロータ６を有し、該ロータ６が、軸受ホルダ４に軸受７を介して挿通したシャフト８と、該シャフト８に一体的に連結されてステータ５に遊嵌合する環状マグネット１０付きロータケース１７とを備え、上面中央に突起部２ａを一体突設し上面外周縁にリングシート２ｂを設けた合成樹脂製ターンテーブル２がシャフト８の端部に嵌着されており、前記ロータケース１７が合成樹脂材により環状に形成されてターンテーブル２の下面に一体突設され、該ロータケース１７の外周面からターンテーブル２の下面外周縁にかけて環状補強壁１８が一体形成されている。【選択図】        図１
2006079727.tif 000002
【特許請求の範囲】
【請求項１】
ステータ及びロータからなるスピンドルモータを有し、前記ステータの外周部に多数の
駆動用コイルが周方向所定間隔ごとに取り付けられると共に、該ステータの中央部に軸受
ホルダが設けられ、前記ロータが、前記軸受ホルダに軸受を介して挿通したシャフトと、
該シャフトに天板を嵌着し該天板の外周縁から折り曲げた環状壁を前記ステータに遊嵌合
させた金属製ロータケースと、前記環状壁の内周面に止着した環状マグネットとを備え、
上面中央に突起部を一体突設し上面外周縁にリングシートを設けた合成樹脂製ターンテー
ブルが前記シャフトの端部に嵌着され、前記ターンテーブルに周方向所定間隔をおいて略
コ字状のスリットを形成することにより複数のＬ字状弾性片が切り残されており、光ディ
スクの中心孔をターンテーブルの突起部に嵌合させ該中心孔の内周面に各弾性片の先端を
係合させることにより、光ディスクをターンテーブル上に載置し、駆動用コイルを励磁す
ることによりロータを介してターンテーブル上の光ディスクを高速回転させるようにした
光ディスク駆動装置において、前記金属製ロータケースに代えて、前記環状壁とほぼ同一
形状の合成樹脂製ロータケースが用いられて、該ロータケースが前記ターンテーブルの下
面に一体突設され、前記ロータケースの外周面とターンテーブルの下面外周縁との間の空
隙に対応する横断面略三角形状の環状補強壁がそのロータケース及びターンテーブルに一
体形成され、前記ロータケース内のターンテーブルの下面に環状マグネット位置決め用ス
トッパが一体突設され、前記ロータケースの下端縁に周方向所定間隔をおいて一体突設さ
れて先端を該ロータケース内に突出する複数の係止爪が設けられており、その各係止爪の
先端を押し分けて環状マグネットをロータケース内に押し込むことにより、その環状マグ
ネットが各係止爪とストッパとで挟持されるようにしたことを特徴とする光ディスク駆動
装置。
【請求項２】
ステータ及びロータからなるスピンドルモータを有し、前記ステータの外周部に多数の
駆動用コイルが周方向所定間隔ごとに取り付けられると共に、該ステータの中央部に軸受
ホルダが設けられ、前記ロータが、前記軸受ホルダに軸受を介して挿通したシャフトと、
該シャフトに天板を嵌着し該天板の外周縁から折り曲げた環状壁を前記ステータに遊嵌合
させた金属製ロータケースと、前記環状壁の内周面に止着した環状マグネットとを備え、
上面中央に突起部を一体突設し上面外周縁にリングシートを設けた合成樹脂製ターンテー
ブルが前記シャフトの端部に嵌着され、前記ターンテーブルに周方向所定間隔をおいて略
コ字状のスリットを形成することにより複数のＬ字状弾性片が切り残されており、光ディ
スクの中心孔をターンテーブルの突起部に嵌合させ該中心孔の内周面に各弾性片の先端を
係合させることにより、光ディスクをターンテーブル上に載置し、駆動用コイルを励磁す
ることによりロータを介してターンテーブル上の光ディスクを高速回転させるようにした
光ディスク駆動装置において、前記金属製ロータケースに代えて、前記環状壁とほぼ同一
形状の合成樹脂製ロータケースが用いられて、該ロータケースが前記ターンテーブルの下
面に一体突設され、前記ロータケースの外周面とターンテーブルの下面外周縁との間の空
隙に対応する多数の横断面略三角形状の補強フランジが周方向所定間隔をおいてそのロー
タケース及びターンテーブルに一体形成され、前記ロータケース内のターンテーブルの下
面に環状マグネット位置決め用ストッパが一体突設され、前記ロータケースの下端縁に周
方向所定間隔をおいて一体突設されて先端を該ロータケース内に突出する複数の係止爪が
設けられており、その各係止爪の先端を押し分けて環状マグネットをロータケース内に押
し込むことにより、その環状マグネットが各係止爪とストッパとで挟持されるようにした
ことを特徴とする光ディスク駆動装置。
【請求項３】
ステータ及びロータからなるスピンドルモータを有し、前記ステータの外周部に多数の
駆動用コイルが周方向所定間隔ごとに取り付けられると共に、該ステータの中央部に軸受
ホルダが設けられ、前記ロータが、前記軸受ホルダに軸受を介して挿通したシャフトと、
該シャフトに一体的に連結されてステータに遊嵌合する環状マグネット付きロータケース
とを備え、上面中央に突起部を一体突設し上面外周縁にリングシートを設けた合成樹脂製
ターンテーブルが前記シャフトの端部に嵌着され、前記ターンテーブルに周方向所定間隔
をおいて略コ字状のスリットを形成することにより複数のＬ字状弾性片が切り残されてお
り、光ディスクの中心孔をターンテーブルの突起部に嵌合させ該中心孔の内周面に各弾性
片の先端を係合させることにより、光ディスクをターンテーブル上に載置し、駆動用コイ
ルを励磁することによりロータを介してターンテーブル上の光ディスクを高速回転させる
ようにした光ディスク駆動装置において、前記ロータケースが合成樹脂材により環状に形
成されてターンテーブルの下面に一体突設され、該ロータケースの外周面からターンテー
ブルの下面外周縁にかけて補強体が一体形成されていることを特徴とする光ディスク駆動
装置。
【請求項４】
前記補強体が、前記ロータケースの外周面とターンテーブルの下面外周縁との間の空隙
に対応する環状補強壁からなることを特徴とする請求項３に記載の光ディスク駆動装置。
【請求項５】
前記補強体が、前記ロータケースの外周面とターンテーブルの下面外周縁との間の空隙
に対応して周方向所定間隔をおいて配置された多数の補強フランジからなることを特徴と
する請求項３に記載の光ディスク駆動装置。
【請求項６】
前記ロータケース内のターンテーブルの下面に環状マグネット位置決め用ストッパが一
体突設され、前記ロータケースの下端縁に周方向所定間隔をおいて一体突設されて先端を
該ロータケース内に突出する複数の係止爪が設けられており、その各係止爪の先端を押し
分けて環状マグネットをロータケース内に押し込むことにより、その環状マグネットが各
係止爪とストッパとで挟持されるようにしたことを特徴とする請求項３〜５のいずれかに
記載の光ディスク駆動装置。
【請求項７】
前記ロータケースの内周面に、多数の突条が周方向に小間隔をおいて刻設されており、
その各突条の先端を押しつぶして環状マグネットをロータケース内に押し込むようにした
ことを特徴とする請求項３〜６のいずれかに記載の光ディスク駆動装置。
【請求項８】
前記リングシートがターンテーブルと同一合成樹脂材により一体に形成されていること
を特徴とする請求項３〜７のいずれかに記載の光ディスク駆動装置。
【発明の詳細な説明】
【技術分野】
【０００１】
本発明は、例えばＤＶＤやＣＤなどの光学的に情報を再生や記録または消去するための
光ディスクを高速回転させるための光ディスク駆動装置に関し、ロータの組立工程を簡略
化しロータケースの強度が低下しないようにしたものである。
【背景技術】
【０００２】
従来、ＤＶＤ用光ディスク駆動装置の一例として図７に示すものがある。これは、スピ
ンドルモータ１によりターンテーブル２を介して光ディスクＤを高速回転させるようにし
たものであって、前記スピンドルモータ１は、外周部に多数の駆動用コイル３を周方向所
定間隔ごとに取り付け中央部に軸受ホルダ４を設けたステータ５及びロータ６を有し、該
ロータ６が、軸受ホルダ４に軸受７を介して挿通したシャフト８と、該シャフト８に天板
９ａを嵌着し該天板９ａの外周縁から折り曲げた環状壁９ｂをステータ５に遊嵌合させた
金属製ロータケース９と、該ロータケース９内に強制的に押し込むことにより環状壁９ｂ
の内周面に止着した環状マグネット１０とを備えている。なお、１１は軸受ホルダ４の下
端に固着した支持板１２上に配置したプリント基板である。
【０００３】
前記ターンテーブル２は、合成樹脂材により成形されており、上面中央に突起部２ａを
一体突設し上面外周縁にゴムなどの弾性材からなるリングシート２ｂを設けたものであっ
て、該ターンテーブル２に周方向所定間隔をおいて略コ字状のスリット１４を形成するこ
とにより複数（この実施の形態では６つ）のＬ字状弾性片２ｃが切り残されている。なお
、１５は突起部２ａの上面凹部内に配置した磁石付きディスクホルダ（図示せず）を吸着
するための磁性体である。
【０００４】
上記構成において、光ディスクＤの中心孔Ｄａをターンテーブル２の突起部２ａに嵌合
させ該中心孔Ｄａに各弾性片２ｃの先端を係合させることにより、光ディスクＤをターン
テーブル２上に載置すると共に、ディスクホルダ（図示せず）を突起部２ａに嵌合させて
光ディスクＤを押さえ付けた後、駆動用コイル３を励磁することによりロータ６を介して
ターンテーブル２上の光ディスクＤを高速回転させ、その光ディスクＤに記録されている
情報の再生や録画または消去を行う。
【０００５】
上記構成では、ロータ６の組立工程において、シャフト８に対して合成樹脂製ターンテ
ーブル２と金属製ロータケース９とを別個に嵌着させており、その嵌着作業に手間と時間
とがかかって面倒であると共に、部品点数が多くて、製作費が高くつく。
【０００６】
上記難点を解消する技術として特許文献１などに記載したものがあり、その一例として
、図８に示すように、前記金属製ロータケース９に代えて、前記環状壁９ｂとほぼ同一形
状の合成樹脂製ロータケース１７が用いられ、該ロータケース１７をターンテーブル２の
下面に一体突設することが考えられる。
【特許文献１】特開平９−１９０６７５号公報
【発明の開示】
【発明が解決しようとする課題】
【０００７】
上記従来の構成では、金属製ロータケース９を省略しているので、シャフト８に対して
合成樹脂製ターンテーブル２を嵌着させるだけでよく、その嵌着作業を簡略化することが
できると共に、部品点数が少なくなり、製作費が安くつく。しかし、合成樹脂製ロータケ
ース１７が薄肉状で強度が小さいため、該ロータケース１７内に環状マグネット１０を強
制的に押し込んだときに、そのロータケース１７が外側に押し広げられてひび割れするお
それがあり、ひび割れたロータケース１７では、強度が著しく低下して環状マグネット１
０を不測に落下しないように止着することが困難になる。
【０００８】
本発明は、上記従来の欠点に鑑み、ロータの組立工程を簡略化しロータケースの強度が
低下しないようにした光ディスク駆動装置を提供することを目的としている。
【課題を解決するための手段】
【０００９】
上記目的を達成するため、請求項１に記載の発明は、ステータ及びロータからなるスピ
ンドルモータを有し、前記ステータの外周部に多数の駆動用コイルが周方向所定間隔ごと
に取り付けられると共に、該ステータの中央部に軸受ホルダが設けられ、前記ロータが、
前記軸受ホルダに軸受を介して挿通したシャフトと、該シャフトに天板を嵌着し該天板の
外周縁から折り曲げた環状壁を前記ステータに遊嵌合させた金属製ロータケースと、前記
環状壁の内周面に止着した環状マグネットとを備え、上面中央に突起部を一体突設し上面
外周縁にリングシートを設けた合成樹脂製ターンテーブルが前記シャフトの端部に嵌着さ
れ、前記ターンテーブルに周方向所定間隔をおいて略コ字状のスリットを形成することに
より複数のＬ字状弾性片が切り残されており、光ディスクの中心孔をターンテーブルの突
起部に嵌合させ該中心孔の内周面に各弾性片の先端を係合させることにより、光ディスク
をターンテーブル上に載置し、駆動用コイルを励磁することによりロータを介してターン
テーブル上の光ディスクを高速回転させるようにした光ディスク駆動装置において、前記
金属製ロータケースに代えて、前記環状壁とほぼ同一形状の合成樹脂製ロータケースが用
いられて、該ロータケースが前記ターンテーブルの下面に一体突設され、前記ロータケー
スの外周面とターンテーブルの下面外周縁との間の空隙に対応する横断面略三角形状の環
状補強壁がそのロータケース及びターンテーブルに一体形成され、前記ロータケース内の
ターンテーブルの下面に環状マグネット位置決め用ストッパが一体突設され、前記ロータ
ケースの下端縁に周方向所定間隔をおいて一体突設されて先端を該ロータケース内に突出
する複数の係止爪が設けられており、その各係止爪の先端を押し分けて環状マグネットを
ロータケース内に押し込むことにより、その環状マグネットが各係止爪とストッパとで挟
持されるようにしたことを特徴としている。
【００１０】
請求項２に記載の発明は、ステータ及びロータからなるスピンドルモータを有し、前記
ステータの外周部に多数の駆動用コイルが周方向所定間隔ごとに取り付けられると共に、
該ステータの中央部に軸受ホルダが設けられ、前記ロータが、前記軸受ホルダに軸受を介
して挿通したシャフトと、該シャフトに天板を嵌着し該天板の外周縁から折り曲げた環状
壁を前記ステータに遊嵌合させた金属製ロータケースと、前記環状壁の内周面に止着した
環状マグネットとを備え、上面中央に突起部を一体突設し上面外周縁にリングシートを設
けた合成樹脂製ターンテーブルが前記シャフトの端部に嵌着され、前記ターンテーブルに
周方向所定間隔をおいて略コ字状のスリットを形成することにより複数のＬ字状弾性片が
切り残されており、光ディスクの中心孔をターンテーブルの突起部に嵌合させ該中心孔の
内周面に各弾性片の先端を係合させることにより、光ディスクをターンテーブル上に載置
し、駆動用コイルを励磁することによりロータを介してターンテーブル上の光ディスクを
高速回転させるようにした光ディスク駆動装置において、前記金属製ロータケースに代え
て、前記環状壁とほぼ同一形状の合成樹脂製ロータケースが用いられて、該ロータケース
が前記ターンテーブルの下面に一体突設され、前記ロータケースの外周面とターンテーブ
ルの下面外周縁との間の空隙に対応する多数の横断面略三角形状の補強フランジが周方向
所定間隔をおいてそのロータケース及びターンテーブルに一体形成され、前記ロータケー
ス内のターンテーブルの下面に環状マグネット位置決め用ストッパが一体突設され、前記
ロータケースの下端縁に周方向所定間隔をおいて一体突設されて先端を該ロータケース内
に突出する複数の係止爪が設けられており、その各係止爪の先端を押し分けて環状マグネ
ットをロータケース内に押し込むことにより、その環状マグネットが各係止爪とストッパ
とで挟持されるようにしたことを特徴としてる。
【００１１】
請求項３に記載の発明は、ステータ及びロータからなるスピンドルモータを有し、前記
ステータの外周部に多数の駆動用コイルが周方向所定間隔ごとに取り付けられると共に、
該ステータの中央部に軸受ホルダが設けられ、前記ロータが、前記軸受ホルダに軸受を介
して挿通したシャフトと、該シャフトに一体的に連結されてステータに遊嵌合する環状マ
グネット付きロータケースとを備え、上面中央に突起部を一体突設し上面外周縁にリング
シートを設けた合成樹脂製ターンテーブルが前記シャフトの端部に嵌着され、前記ターン
テーブルに周方向所定間隔をおいて略コ字状のスリットを形成することにより複数のＬ字
状弾性片が切り残されており、光ディスクの中心孔をターンテーブルの突起部に嵌合させ
該中心孔の内周面に各弾性片の先端を係合させることにより、光ディスクをターンテーブ
ル上に載置し、駆動用コイルを励磁することによりロータを介してターンテーブル上の光
ディスクを高速回転させるようにした光ディスク駆動装置において、前記ロータケースが
合成樹脂材により環状に形成されてターンテーブルの下面に一体突設され、該ロータケー
スの外周面からターンテーブルの下面外周縁にかけて補強体が一体形成されていることを
特徴としている。
【００１２】
請求項４に記載の発明は、請求項３に記載の発明において、前記補強体が、前記ロータ
ケースの外周面とターンテーブルの下面外周縁との間の空隙に対応する環状補強壁からな
ることを特徴としている。
【００１３】
請求項５記載の発明は、請求項３に記載の発明において、前記補強体が、前記ロータケ
ースの外周面とターンテーブルの下面外周縁との間の空隙に対応して周方向所定間隔をお
いて配置された多数の補強フランジからなることを特徴としている。
【００１４】
請求項６に記載の発明は、請求項３〜５のいずれかに記載の発明において、前記ロータ
ケース内のターンテーブルの下面に環状マグネット位置決め用ストッパが一体突設され、
前記ロータケースの下端縁に周方向所定間隔をおいて一体突設されて先端を該ロータケー
ス内に突出する複数の係止爪が設けられており、その各係止爪の先端を押し分けて環状マ
グネットをロータケース内に押し込むことにより、その環状マグネットが各係止爪とスト
ッパとで挟持されるようにしたことを特徴としている。
【００１５】
請求項７に記載の発明は、請求項３〜６のいずれかに記載の発明において、前記ロータ
ケースの内周面に、多数の突条が周方向に小間隔をおいて刻設されており、その各突条の
先端を押しつぶして環状マグネットをロータケース内に押し込むようにしたことを特徴と
している。
【００１６】
請求項８に記載の発明は、請求項３〜７のいずれかに記載の発明において、前記リング
シートがターンテーブルと同一合成樹脂材により一体に形成されていることを特徴として
いる。
【発明の効果】
【００１７】
請求項１に記載の発明は第１、第３の実施の形態（図１、図２及び図４参照）に対応す
るものであって、これによれば、ロータケースが合成樹脂材により環状に形成されてター
ンテーブルの下面に一体突設されており、従来の金属製ロータケースを省略しているので
、ロータの組立工程では、シャフトに対して合成樹脂製ターンテーブルを嵌着させるだけ
でよく、その嵌着作業を簡略化することができると共に、部品点数が少なくなり、製作費
が安くつく。
【００１８】
また、合成樹脂製ロータケースが補強体で補強されているため、該ロータケース内に環
状マグネットを強制的に押し込んでも、そのロータケースがひび割れすることがなく、環
状マグネットをロータケース内に確実に止着することができる。
【００１９】
更に、前記補強体が横断面略三角形状の環状補強壁からなっており、該環状補強壁は、
その厚さが大きくて周方向に均等に形成されて適度な重さを有しているので、バランサー
としてターンテーブルの高速回転を安定させることができる。
【００２０】
しかも、ロータケースの上下端位置にストッパと複数の係止爪とが一体突設されている
ので、各係止爪を押し分けて環状マグネットを該ロータケース内に押し込むだけで、該環
状マグネットを各係止爪とストッパとで挟持して、その環状マグネットをロータケース内
の所定位置に確実に止着することができる。
【００２１】
請求項２に記載の発明は第２、第３の実施の形態（図３及び図４参照）に対応するもの
であって、これによれば、請求項１に記載の発明とほぼ同様の効果を得ることができ、特
に、補強体が周方向所定間隔をおいて配置された多数の横断面略三角形状の補強フランジ
からなっており、ターンテーブルを高速回転させると、その各補強フランジがファンとな
って周辺空気を攪乱するので、例えば光ピックアップなどの発熱体を冷却して高熱による
性能低下を防ぐことができる。
【００２２】
請求項３に記載の発明は基本形態に相当するものであって、これによれば、ロータケー
スが合成樹脂材により環状に形成されてターンテーブルの下面に一体突設されており、従
来の金属製ロータケースを省略しているので、ロータの組立工程では、シャフトに対して
合成樹脂製ターンテーブルを嵌着させるだけでよく、その嵌着作業を簡略化することがで
きると共に、部品点数が少なくなり、製作費が安くつく。
【００２３】
また、合成樹脂製ロータケースが補強体で補強されているため、該ロータケース内に環
状マグネットを強制的に押し込んでも、そのロータケースがひび割れすることがなく、環
状マグネットをロータケース内に確実に止着することができる。
【００２４】
請求項４に記載の発明によれば、補強体が環状補強壁からなっており、該環状補強壁は
、その厚さが大きくて周方向に均等に形成されて適度な重さを有しているので、バランサ
ーとしてターンテーブルの高速回転を安定させることができる。
【００２５】
請求項５に記載の発明によれば、補強体が周方向所定間隔をおいて配置された多数の補
強フランジからなっており、ターンテーブルを高速回転させると、その各補強フランジが
ファンとなって周辺空気を攪乱するので、例えば光ピックアップなどの発熱体を冷却して
高熱による性能低下を防ぐことができる。
【００２６】
請求項６に記載の発明によれば、ロータケースの上下端位置にストッパと複数の係止爪
とが一体突設されているので、各係止爪を押し分けて環状マグネットを該ロータケース内
に押し込むだけで、該環状マグネットを各係止爪とストッパとで挟持して、その環状マグ
ネットをロータケース内の所定位置に確実に止着することができる。
【００２７】
請求項７に記載の発明によれば、環状マグネットをロータケース内に押し込むと、該ロ
ータケースの内周面に形成した各突条の先端に環状マグネットの外周面が線接触されるよ
うになっており、従来の面接触の場合に比べて、押し込み抵抗が小さいので、その環状マ
グネットをロータケース内に簡単に押し込むことができる。また、各突条の先端が環状マ
グネットにより押しつぶされて該環状マグネットの外周面に密着されるので、その環状マ
グネットをロータケース内に一層確実に止着することができる。
【００２８】
請求項８に記載の発明によれば、リングシートがターンテーブルと同一合成樹脂材によ
り一体に形成されているので、その両者を別個に形成する場合に比べて、部品点数が少な
くなり、製作費が安くつく。
【発明を実施するための最良の形態】
【００２９】
図１及び図２は本発明の第１の実施の形態である光ディスク駆動装置を示すものであっ
て、従来の金属製ロータケース９（図７参照）に代えて、該ロータケース９の環状壁９ｂ
とほぼ同一形状の合成樹脂製ロータケース１７が用いられて、該ロータケース１７がター
ンテーブル２の下面に一体突設され、ロータケース１７の外周面１７ａとターンテーブル
２の下面外周縁２ｄとの間の空隙Ｓ（図８参照）に対応する横断面略三角形状の環状補強
壁（補強体）１８がそのロータケース１７及びターンテーブル２に一体形成されている。
上記以外の構成は、図７及び図８に示す構成とほぼ同じであるから、同一部分に同一符号
を付してその説明を省略する。
【００３０】
上記構成によれば、ロータケース１７が合成樹脂材により環状に形成されてターンテー
ブル２の下面に一体突設されており、従来の金属製ロータケース９（図７参照）を省略し
ているので、ロータ６の組立工程では、シャフト８に対して合成樹脂製ターンテーブル２
を嵌着させるだけでよく、その嵌着作業を簡略化することができると共に、部品点数が少
なくなり、製作費が安くつく。
【００３１】
また、合成樹脂製ロータケース１７が環状補強壁１８で補強されているため、該ロータ
ケース１７内に環状マグネット１０を強制的に押し込んでも、そのロータケース１７がひ
び割れすることがなく、環状マグネット１０をロータケース１７内に確実に止着すること
ができる。
【００３２】
更に、環状補強壁１８は、その厚さが大きくて周方向に均等に形成されて適度な重さを
有しているので、バランサーとしてターンテーブル２の高速回転を安定させることができ
る。
【００３３】
図３は本発明の第２の実施の形態である光ディスク駆動装置を示すものであって、ター
ンテーブル２の下面に一体突設したロータケース１７の外周面１７ａと該ターンテーブル
２の下面外周縁２ｄとの間の空隙Ｓ（図８参照）に対応する多数（この実施の形態では１
２本）の横断面略三角形状の補強フランジ（補強体）１９が周方向所定間隔をおいてその
ロータケース１７及びターンテーブル２に一体形成されている。上記以外の構成は、図１
及び図２に示す第１の実施の形態とほぼ同じであるから、同一部分に同一符号を付してそ
の説明を省略する。
【００３４】
上記構成によれば、第１の実施の形態とほぼ同じ効果を得ることができ、特に、ターン
テーブル２を高速回転させると、各補強フランジ１９がファンとなって周辺空気を攪乱す
るので、例えば光ピックアップなどの発熱体（図示せず）を冷却して高熱による性能低下
を防ぐことができる。
【００３５】
図４は本発明の第３の実施の形態である光ディスク駆動装置の要部を示すものであって
、ロータケース１７内のターンテーブル２の下面に環状マグネット１０位置決め用ストッ
パ２０が一体突設され、ロータケース１７の下端縁に周方向所定間隔をおいて一体突設さ
れて先端を該ロータケース１７内に突出する複数の係止爪２１が設けられており、その各
係止爪２１の先端を押し分けて環状マグネット１０をロータケース１７内に押し込むこと
により、その環状マグネット１０が各係止爪２１とストッパ２０とで挟持されるようにし
た。上記以外の構成は第１、第２の実施の形態とほぼ同じであるから、その説明を省略す
る。
【００３６】
上記構成によれば、ロータケース１７の上下端位置にストッパ２０と複数の係止爪２１
とが一体突設されているので、各係止爪２１を押し分けて環状マグネット１０を該ロータ
ケース１７内に押し込むだけで、該環状マグネット１０を各係止爪２１とストッパ２０と
で挟持して、その環状マグネット１０をロータケース１７内の所定位置に確実に止着する
ことができる。
【００３７】
図５は本発明の第４の実施の形態である光ディスク駆動装置の要部を示すものであって
、ロータケース１７の内周面に、多数の突条２２が周方向に小間隔をおいて刻設されてお
り、その各突条２２の先端を押しつぶして環状マグネット１０をロータケース１７内に押
し込むようにした。上記以外の構成は第１〜第３の実施の形態とほぼ同じであるから、そ
の説明を省略する。
【００３８】
上記構成によれば、環状マグネット１０をロータケース１７内に押し込むと、該ロータ
ケース１７の内周面に形成した各突条２２の先端に環状マグネット１０の外周面が線接触
されるようになっており、従来の面接触の場合（図８参照）に比べて、押し込み抵抗が小
さいので、その環状マグネット１０をロータケース１７内に簡単に押し込むことができる
。また、各突条２２の先端が環状マグネット１０により押しつぶされて該環状マグネット
１０の外周面に密着されるので、その環状マグネット１０をロータケース１７内に一層確
実に止着することができる。
【００３９】
図６は本発明の第５の実施の形態である光ディスク駆動装置の要部を示すものであって
、リングシート２ｂがターンテーブル２と同一合成樹脂材により一体に形成されており、
これによれば、その両者２，２ｂを別個に形成する場合（図８参照）に比べて、部品点数
が少なくなり、製作費が安くつく。上記以外の構成は第１〜第４の実施の形態とほぼ同じ
であるから、その説明を省略する。
【図面の簡単な説明】
【００４０】
【図１】（ａ）は本発明の第１の実施の形態である光ディスク駆動装置の縦断面図、（ｂ）は同ロータケース付きターンテーブルの斜視図、（ｃ）はＡ−Ａ矢視図である。
【図２】同拡大縦断面図である。
【図３】（ａ）は本発明の第２の実施の形態である光ディスク駆動装置の縦断面図、（ｂ）は同ロータケース付きターンテーブルの斜視図、（ｃ）はＢ−Ｂ矢視図である。
【図４】（ａ）は本発明の第３の実施の形態である光ディスク駆動装置の要部の縦断面図、（ｂ）は同要部の斜視図である。
【図５】（ａ）は本発明の第４の実施の形態である光ディスク駆動装置の要部の縦断面図、（ｂ）は同要部の斜視図である。
【図６】本発明の第５の実施の形態である光ディスク駆動装置の要部の拡大縦断面図である。
【図７】（ａ）は従来例を示す縦断面図、（ｂ）は同平面図である。
【図８】同従来例の変形例を示す要部の縦断面図である。
【符号の説明】
【００４１】
１        スピンドルモータ
２        ターンテーブル
２ａ      ターンテーブルの突起部
２ｂ      リングシート
２ｃ      Ｌ字状弾性片
３        駆動用コイル
４        軸受ホルダ
５        ステータ
６        ロータ
７        軸受
８        シャフト
９        金属製ロータケース
９ａ      金属製ロータケースの天板
９ｂ      金属製ロータケースの環状壁
１０      環状マグネット
１７      合成樹脂製ロータケース
１８      環状補強壁（補強体）
１９      補強フランジ（補強体）
２０      環状マグネット位置決め用ストッパ
２１      係止爪
２２      突条
Ｄ        ディスク
Ｓ        空隙
【図１】
2006079727.tif 000003
【図２】
2006079727.tif 000004
【図３】
2006079727.tif 000005
【図４】
2006079727.tif 000006
【図５】
2006079727.tif 000007
【図６】
2006079727.tif 000008
【図７】
2006079727.tif 000009
【図８】
2006079727.tif 000010